(57)【特許請求の範囲】
【請求項１】
決済サーバにおけるインスタントメッセージを利用した安全決済方法において、
販売者の装置から商品またはサービスに対する決済要請を受信するステップ；
前記決済要請に対応して、決済者の端末の安全決済サービスへの加入有無を判断するステップ；
前記決済者の端末が前記安全決済サービスに加入されている場合、前記決済者の端末において、決済を行うための第１インスタントメッセージの受信許容または拒否が設定されているか否かを判断し、前記決済者の端末が前記安全決済サービスに加入されていない場合、前記販売者の装置に決済失敗情報を転送するステップ；
前記第１インスタントメッセージの受信許容または拒否が設定されていないと判断した場合、前記第１インスタントメッセージの受信を許容または拒否する入力信号を受信するための第２インスタントメッセージを前記決済者の端末に転送するように、インスタントメッセージサーバへ要請するステップ；及び、
前記決済者の端末から前記第２インスタントメッセージに対応する入力に関する情報を受信するステップを含み、
前記第２インスタントメッセージは、前記第１インスタントメッセージの受信を第１有効時間の間、許容する入力を受信するための第３インスタントメッセージ及び前記第１インスタントメッセージの受信を第２有効時間の間に拒否する第４インスタントメッセージを含み、
前記要請するステップは、
前記第３インスタントメッセージに対応して、前記決済者の端末から前記第１インスタントメッセージの受信を許容する入力に関する情報を受信した場合、前記第１有効時間の間、前記第１インスタントメッセージを前記決済者の端末に転送するように前記インスタントメッセージサーバへ要請し、
前記第４インスタントメッセージに対応して、前記決済者の端末から前記第１インスタントメッセージの受信を拒否する入力に関する情報を受信した場合、前記第２有効時間の間、前記第１インスタントメッセージを前記決済者の端末へ転送することを遮断するように前記インスタントメッセージサーバに要請する安全決済方法。
【請求項２】
前記有効時間は、前記決済サーバに既に設定されているか、前記決済者の端末の決済者により設定されたものである、請求項１に記載の安全決済方法。
【請求項３】
前記第２インスタントメッセージは、前記第１インスタントメッセージの受信を許容する入力信号を受信するための第１入力ボタン、及び、前記第１インスタントメッセージの受信を拒否する入力信号を受信するための第２入力ボタンをさらに含み、
前記第１入力ボタン及び前記第２入力ボタンは、いずれか一方が活性化される場合、他方は非活性化されるものである、請求項１に記載の安全決済方法。
【請求項４】
前記決済者の端末には、
前記第１インスタントメッセージの受信を許容する入力信号が受信された場合、前記第１インスタントメッセージの受信許容を解除する入力ボタンが活性化され、
前記第１インスタントメッセージの受信を拒否する入力信号が受信された場合、前記第１インスタントメッセージの受信拒否を解除する入力ボタンが活性化されるものである請求項１に記載の安全決済方法。
【請求項５】
前記販売者の装置は、一つ以上の販売者の装置であり、
前記第２インスタントメッセージは、前記一つ以上の販売者の装置から受信した決済要請に対応する一つ以上の前記第１インスタントメッセージの受信を共に許容する入力信号を受信するためのものである請求項１に記載の安全決済方法。
【請求項６】
前記販売者の装置は、一つ以上の販売者の装置であり、
前記第２インスタントメッセージは、前記一つ以上の販売者の装置別に、前記一つ以上の販売者の装置から受信した決済要請に対応する一つ以上の前記第１インスタントメッセージの受信を許容する入力信号を受信するためのものである請求項１に記載の安全決済方法。
【請求項７】
前記商品またはサービスは、一つ以上の商品またはサービスであり、
前記第２インスタントメッセージは、前記一つ以上の商品またはサービスに対応する一つ以上の前記第１インスタントメッセージの受信を共に許容する入力信号を受信するためのものである請求項１に記載の安全決済方法。
【請求項８】
前記商品またはサービスは、一つ以上の商品またはサービスであり、
前記第２インスタントメッセージは、前記一つ以上の商品またはサービス別に前記第１インスタントメッセージの受信を許容する入力信号を受信するためのものである請求項１に記載の安全決済方法。
【請求項９】
前記決済者の端末にインストールされたチャットアプリケーション上に、仮想主体とのチャットルームが生成され、
前記生成されたチャットルームを通じて前記第１インスタントメッセージ及び第２インスタントメッセージが提供されるものである請求項１に記載の安全決済方法。
【請求項１０】
前記決済者の端末から決済受諾情報を受信するステップ；
前記決済サーバが決済を完了するステップ；及び、
前記決済が完了するにつれ、決済完了情報を前記販売者の装置及び決済者の端末のうち少なくとも一つに転送するステップをさらに含む請求項１に記載の安全決済方法。
【請求項１１】
前記決済者の端末から前記第１インスタントメッセージの受信を拒否する入力に関する情報を受信するにつれ、
決済失敗情報を前記販売者の装置及び決済者の端末のうち少なくとも一つに転送するステップをさらに含む請求項１に記載の安全決済方法。
【請求項１２】
インスタントメッセージを利用して安全決済を行う決済サーバにおいて、
販売者の装置、決済者の端末及びインスタントメッセージサーバと送受信する通信モジュール；
商品またはサービスに対する安全決済を提供するためのプログラムが格納されたメモリ、及び、
前記プログラムを実行するプロセッサを含み、
前記通信モジュールが前記販売者の装置から商品またはサービスに対する決済要請を受信すれば、
前記プロセッサは、前記プログラムを実行させることにより、前記決済要請に対応して、前記決済者の端末の安全決済サービスへの加入有無を判断し、前記決済者の端末が前記安全決済サービスに加入されている場合、前記決済者の端末において、決済を行うための第１インスタントメッセージの受信許容または拒否が設定されているか否かを判断し、前記決済者の端末が前記安全決済サービスに加入されていない場合、前記販売者の装置に決済失敗情報を転送し、
前記第１インスタントメッセージの受信許容または拒否が設定されていないと判断した場合、前記第１インスタントメッセージの受信を許容または拒否する入力信号を受信するための第２インスタントメッセージを前記決済者の端末に転送するように、前記インスタントメッセージサーバへ要請し、
前記決済者の端末から前記第２インスタントメッセージに対応する入力に関する情報を受信し、
前記第２インスタントメッセージは、前記第１インスタントメッセージの受信を第１有効時間の間、許容する入力を受信するための第３インスタントメッセージ及び前記第１インスタントメッセージの受信を第２有効時間の間に拒否する第４インスタントメッセージを含み、
前記プロセッサは、
前記第３インスタントメッセージに対応して、前記通信モジュールが、前記決済者の端末から前記第１インスタントメッセージの受信を許容する入力に関する情報を受信した場合、前記プロセッサは、前記第１有効時間の間、前記第１インスタントメッセージを前記決済者の端末に転送するように、前記インスタントメッセージサーバへ要請し、
前記第４インスタントメッセージに対応して、前記決済者の端末から前記第１インスタントメッセージの受信を拒否する入力に関する情報を受信した場合、前記第２有効時間の間、前記第１インスタントメッセージを前記決済者の端末へ転送することを遮断する決済サーバ。
【請求項１３】
インスタントメッセージサーバにおけるインスタントメッセージを利用した安全決済方法において、
決済者の端末において、決済を行うための第１インスタントメッセージの受信を許容または拒否する入力信号を受信するための第２インスタントメッセージを前記決済者の端末に転送する要請を決済サーバから受信するステップ；
前記第２インスタントメッセージを前記決済者の端末に転送するステップ；及び、
前記第１インスタントメッセージを前記決済者の端末に転送するステップを含み、
前記決済サーバは、
販売者の装置から受信した商品またはサービスに対する決済要請に対応して、前記決済者の端末の安全決済サービスへの加入有無を判断し、前記決済者の端末が前記安全決済サービスに加入されている場合、前記決済者の端末において、決済を行うための前記第１インスタントメッセージの受信許容または拒否が設定されているか否かを判断し、前記決済者の端末が前記安全決済サービスに加入されていない場合、前記販売者の装置に決済失敗情報を転送し、前記第１インスタントメッセージの受信許容または拒否が設定されていないと判断した場合、前記第２インスタントメッセージの転送を前記インスタントメッセージサーバへ要請し、
前記第２インスタントメッセージに対応して、前記決済者の端末から前記第１インスタントメッセージの受信を許容する入力に関する情報を受信した場合、前記第１インスタントメッセージの転送を前記インスタントメッセージサーバへ要請するように構成され、
前記第２インスタントメッセージは、前記第１インスタントメッセージの受信を第１有効時間の間、許容する入力を受信するための第３インスタントメッセージ及び前記第１インスタントメッセージの受信を第２有効時間の間に拒否する第４インスタントメッセージを含み、
前記第１インスタントメッセージを前記決済者の端末に転送するステップは、
前記第３インスタントメッセージに対応して、前記決済者の端末から前記第１インスタントメッセージの受信を許容する入力に関する情報を前記決済サーバを介して受信した場合、前記第１有効時間の間、前記第１インスタントメッセージを前記決済者の端末に転送し、
前記第４インスタントメッセージに対応して、前記決済者の端末から前記第１インスタントメッセージの受信を拒否する入力に関する情報を前記決済サーバを介して受信した場合、前記第２有効時間の間、前記第１インスタントメッセージを前記決済者の端末へ転送することを遮断する安全決済方法。
【請求項１４】
決済者の端末におけるインスタントメッセージを利用した安全決済方法において、
前記決済者の端末において、決済を行うための第１インスタントメッセージの受信を許容または拒否する入力信号を受信するための第２インスタントメッセージをインスタントメッセージサーバから受信するステップ；
決済者から前記第２インスタントメッセージに対応する入力を受信するステップ；及び、
前記第２インスタントメッセージに対応する入力に関する情報を決済サーバに転送するステップを含み、
前記決済サーバは、販売者の装置から商品またはサービスに対する決済要請を受信するにつれ、前記決済要請に対応して、前記決済者の端末の安全決済サービスへの加入有無を判断し、前記決済者の端末が前記安全決済サービスに加入されている場合、前記第１インスタントメッセージの受信許容または拒否が設定されているか否かを判断し、前記決済者の端末が  前記安全決済サービスに加入されていない場合、前記販売者の装置に決済失敗情報を転送し、
前記第２インスタントメッセージをインスタントメッセージサーバから受信するステップは、
前記決済サーバが前記第１インスタントメッセージの受信許容または拒否が設定されていないと判断した場合、前記インスタントメッセージサーバから前記第２インスタントメッセージを受信し、
前記第２インスタントメッセージは、前記第１インスタントメッセージの受信を第１有効時間の間、許容する入力を受信するための第３インスタントメッセージ及び前記第１インスタントメッセージの受信を第２有効時間の間に拒否する第４インスタントメッセージを含み、
前記決済者から前記第３インスタントメッセージに対応して、前記第１インスタントメッセージの受信を許容する入力を受信した場合、前記第１有効時間の間、前記インスタントメッセージサーバから前記第１インスタントメッセージを受信し、
前記決済者から前記第４インスタントメッセージに対応して、前記第１インスタントメッセージの受信を拒否する入力を受信した場合、前記第２有効時間の間、前記インスタントメッセージサーバから前記第１インスタントメッセージを受信しない安全決済方法。
【請求項１５】
前記第２インスタントメッセージは、前記第１インスタントメッセージの受信を許容する入力信号を受信するための第１入力ボタン、及び、前記第１インスタントメッセージの受信を拒否する入力信号を受信するための第２入力ボタンをさらに含み、
前記第１入力ボタン及び前記第２入力ボタンはいずれか一方が活性化される場合、他方は非活性化されるものである請求項１４に記載の安全決済方法。
【発明の詳細な説明】
【技術分野】
【０００１】
本発明は、インスタントメッセージを利用した安全決済方法、決済サーバ及びインスタントメッセージサーバに関する。
【背景技術】
【０００２】
ＩＭＳ（Ｉｎｓｔａｎｔ  Ｍｅｓｓａｇｅ  Ｓｅｒｖｉｃｅ）は、電子メールプログラムやウェブブラウザを別途に用いずに、送信者が送ったメッセージが受信者のデバイスの画面に即時に表されるようにするリアルタイムオンラインコミュニケーションサービスを意味する。特に、モバイルネットワークを利用してチャット、音声及びビデオ通話などを提供するサービスをＭＩＭ（Ｍｏｂｉｌｅ  Ｉｎｓｔａｎｔ  Ｍｅｓｓｅｎｇｅｒ）サービスという。これに係り、韓国公開特許広報第１０−２０１１−００１２３１５号には、インスタントメッセージの制御方法が開示されている。
【０００３】
一方、有無線通信網の発達に伴い、商品またはサービスの決済も有無線通信網を通じて様々なオンライン方式で行われている。このようなオンライン決済方式の中で最も多く使用されている方式としては、モバイル決済方式とカード決済方式がある。このうち、モバイル決済方式は、近年、インスタントメッセージが発達するにつれ、インスタントメッセージを活用して決済する頻度が増加している。
【０００４】
既存のモバイル決済方式は、ユーザがモバイルの電話番号を利用して決済要請をすれば、モバイルの電話番号に相応するモバイル端末に認証情報が受信され、受信された認証情報を再び入力することで決済を行っている。
【０００５】
このような既存のモバイル決済方式は、決済者がモバイル端末だけ所持していれば決済が可能であり、便宜性が高いというメリットがあるが、モバイル端末の占有だけで決済が可能であり、安全性が非常に低いというデメリットがあった。このようなデメリットを補うために、注文内訳をモバイル決済で処理するためのＳＭＳやＱＲコード（登録商標）スキャンなどの認証手続きを要求しているが、複雑な認証手続きにより、商品またはサービスの決済時にユーザの利便性を落とすという不都合があった。
【０００６】
また、決済を要請する者が悪意で電話番号を無作為に入力し、決済要請のためのメッセージを転送すれば、受信者は、自分が決済要請をしていない決済要請メッセージを受信するという不都合がある。
【０００７】
このような決済方法に関する従来技術として、韓国公開特許公報第１０−２０１４−０１０３０１９号（発明の名称：安全決済コードを利用した決済方法、及び、これに利用される安全決済仲介サーバ）は、安全決済コードを利用して移動通信端末で安全に決済できるようにするための決済方法及び装置を開示している。
【発明の概要】
【発明が解決しようとする課題】
【０００８】
本発明の一部の実施例は、決済者の端末において決済を受諾するインスタントメッセージの受信を許容する入力信号を受信するためのインスタントメッセージを、有効時間の間、決済者の端末に転送するようにする安全決済方法、決済サーバ及びインスタントメッセージサーバを提供する。
【０００９】
但し、本実施例が達成しようとする技術的課題は、上記のような技術的課題に限らず、また他の技術的課題が存在し得る。
【課題を解決するための手段】
【００１０】
上述した技術的課題を達成するための技術的手段として、本発明の第１側面による決済サーバにおけるインスタントメッセージを利用した安全決済方法は、販売者の装置から商品またはサービスに対する決済要請を受信するステップ；前記決済要請に対応して、決済者の端末において、決済を行うための第１インスタントメッセージの受信許容が設定されているか否かを判断するステップ；前記第１インスタントメッセージの受信を許容する入力信号を受信するための第２インスタントメッセージを前記決済者の端末に転送するように、インスタントメッセージサーバへ要請するステップ；及び、前記決済者の端末から前記第２インスタントメッセージに対応する入力に関する情報を受信するステップを含む。そのとき、前記第２インスタントメッセージは、前記第１インスタントメッセージの受信を許容する有効時間を含み、前記第２インスタントメッセージに対応して、前記決済者の端末から前記第１インスタントメッセージの受信を許容する入力に関する情報を受信した場合、前記有効時間の間、前記第１インスタントメッセージを前記決済者の端末に転送するように前記インスタントメッセージサーバへ要請する。
【００１１】
また、本発明の第２側面によるインスタントメッセージを利用して安全決済を行うインスタントメッセージを利用して安全決済を行う決済サーバは、販売者の装置、決済者の端末及びインスタントメッセージサーバと送受信する通信モジュール；商品またはサービスに対する安全決済を提供するためのプログラムが格納されたメモリ及び前記プログラムを行うプロセッサを含み、前記通信モジュールが、前記販売者の装置から商品またはサービスに対する決済要請を受信すれば、前記プロセッサは、前記プログラムを実行させることにより、前記決済要請に対応して、前記決済者の端末において、決済を行うための第１インスタントメッセージの受信許容または拒否が設定されているか否かを判断し、前記第１インスタントメッセージの受信許容または拒否が設定されていないと判断した場合、前記第１インスタントメッセージの受信を許容または拒否する入力信号を受信するための第２インスタントメッセージを前記決済者の端末に転送するように前記インスタントメッセージサーバへ要請し、前記決済者の端末から前記第２インスタントメッセージに対応する入力に関する情報を受信する。そのとき、前記第２インスタントメッセージは、前記第１インスタントメッセージの受信を許容または拒否する有効時間を含み、前記第２インスタントメッセージに対応して、前記通信モジュールが、前記決済者の端末から前記第１インスタントメッセージの受信を許容する入力に関する情報を受信した場合、前記プロセッサは、前記有効時間の間、前記第１インスタントメッセージを前記決済者の端末に転送するように、前記インスタントメッセージサーバへ要請する。
【００１２】
また、本発明の第３側面によるインスタントメッセージサーバにおけるインスタントメッセージを利用した安全決済方法は、決済者の端末において、決済を行うための第１インスタントメッセージの受信を許容または拒否する入力信号を受信するための第２インスタントメッセージを前記決済者の端末に転送する要請を決済サーバから受信するステップ；前記第２インスタントメッセージを前記決済者の端末に転送するステップ；及び、前記第１インスタントメッセージを前記決済者の端末に転送するステップを含む。そのとき、前記決済サーバは、販売者の装置から受信した商品またはサービスに対する決済要請に対応して、前記第１インスタントメッセージの受信許容または拒否が設定されていないか、受信が許容されていると判断した場合、前記第２インスタントメッセージの転送を前記インスタントメッセージサーバへ要請し、前記第２インスタントメッセージに対応して、前記決済者の端末から前記第１インスタントメッセージの受信を許容する入力に関する情報を受信した場合、前記第１インスタントメッセージの転送を前記インスタントメッセージサーバへ要請するように構成され、前記第２インスタントメッセージは、前記第１インスタントメッセージの受信を許容または拒否する有効時間を含み、前記第１インスタントメッセージを前記決済者の端末に転送するステップは、前記有効時間の間、前記第１インスタントメッセージを前記決済者の端末に転送する。
【００１３】
また、本発明の第４側面による決済者の端末におけるインスタントメッセージを利用した安全決済方法は、前記決済者の端末において、決済を行うための第１インスタントメッセージの受信を許容または拒否する入力信号を受信するための第２インスタントメッセージをインスタントメッセージサーバから受信するステップ；決済者から前記第２インスタントメッセージに対応する入力を受信するステップ；及び、前記第２インスタントメッセージに対応する入力に関する情報を決済サーバに転送するステップを含む。そのとき、前記決済サーバは、販売者の装置から商品またはサービスに対する決済要請を受信するにつれ、前記決済要請に対応して、前記第１インスタントメッセージの受信許容または拒否が設定されているか否かを判断し、前記第２インスタントメッセージをインスタントメッセージサーバから受信するステップは、前記決済サーバが前記第１インスタントメッセージの受信許容または拒否が設定されていないか、受信が許容されていると判断した場合、前記インスタントメッセージサーバから前記第２インスタントメッセージを受信し、前記第２インスタントメッセージは、前記第１インスタントメッセージの受信を許容または拒否する有効時間を含み、前記決済者から前記第２インスタントメッセージに対応して、第１インスタントメッセージの受信を許容する入力に関する情報を受信した場合、前記有効時間の間、前記インスタントメッセージサーバから前記第１インスタントメッセージを受信する。
【発明の効果】
【００１４】
前述した課題解決手段のうちいずれかによれば、本発明の一実施例は、決済を受諾するためのインスタントメッセージを有効時間の間にのみ決済者の端末に転送されるように設定することができ、これにより、決済者の端末を所持していない決済要請者が悪意をもって電話番号を入力し、決済要請メッセージを発送するようにする行為を防止することができる。
【図面の簡単な説明】
【００１５】
【図１】本発明の一実施例に係るインスタントメッセージを利用した安全決済システムを示した構成図である。
【図２ａ】第１インスタントメッセージの受信を許容した場合に対する決済過程のフローチャートである。
【図２ｂ】第１インスタントメッセージの受信を許容した場合に対する決済過程のフローチャートである。
【図３ａ】第１インスタントメッセージの受信を拒否した場合に対する決済過程のフローチャートである。
【図３ｂ】第１インスタントメッセージの受信を拒否した場合に対する決済過程のフローチャートである。
【図４】第３インスタントメッセージ及び第４インスタントメッセージを示した図である。
【図５ａ】第１インスタントメッセージの受信許容または拒否を解除するためのインターフェイスを示した図である。
【図５ｂ】第１インスタントメッセージの受信許容または拒否を解除するためのインターフェイスを示した図である。
【図６ａ】決済者の端末に受信された第１インスタントメッセージの一例示を示した図である。
【図６ｂ】決済者の端末で決済モジュールが実行された一例示を示した図である。
【図７】本発明の一実施例に係る決済サーバを示したブロック図である。
【図８】本発明の一実施例に係る決済者の端末におけるインスタントメッセージを利用した安全決済方法のフローチャートである。
【発明を実施するための形態】
【００１６】
以下では、添付した図面を参照しながら、本発明の属する技術分野において通常の知識を持った者が容易に実施できるように本発明の実施例を詳しく説明する。ところが、本発明は、様々な異なる形態で具現されることができ、ここで説明する実施例に限定されるものではない。そして、図面において、本発明を明確に説明するために、説明とは関係ない部分は省略しており、明細書全体に亘って類似した部分に対しては類似した図面符号を付けている。
【００１７】
明細書全体において、ある部分が他の部分と『連結』されているという場合、これは『直接的に連結』されている場合だけでなく、その中間に他の素子を介して『電気的に連結』されている場合も含む。また、ある部分がある構成要素を『含む』という場合、これは、特に反対の記載がない限り、他の構成要素を除くのではなく、他の構成要素をさらに含み得ることを意味する。
【００１８】
まず、本発明の一実施例に係るインスタントメッセージを利用した安全決済システム１の構成を説明する。
【００１９】
図１は、本発明の一実施例に係るインスタントメッセージを利用した安全決済システム１を示した構成図である。
【００２０】
本発明の一実施例に係る安全決済システム１は、販売者の装置１０、決済者の端末２０、インスタントメッセージサーバ１００、決済サーバ２００及び金融社サーバ３００を含み得る。
【００２１】
このとき、図１に示された決済システム１を構成する各構成要素は、ネットワーク（ｎｅｔｗｏｒｋ）を通じて連結されることができる。ネットワークは、端末及びサーバのようなそれぞれのノード相互間に情報交換が可能な連結構造を意味するもので、このようなネットワーク（ｎｅｔｗｏｒｋ）の一例には、３ＧＰＰ（３ｒｄ  Ｇｅｎｅｒａｔｉｏｎ  Ｐａｒｔｎｅｒｓｈｉｐ  Ｐｒｏｊｅｃｔ）ネットワーク、ＬＴＥ（Ｌｏｎｇ  Ｔｅｒｍ  Ｅｖｏｌｕｔｉｏｎ）ネットワーク、ＷＩＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）ネットワーク、インターネット（Ｉｎｔｅｒｎｅｔ）、ＬＡＮ（Ｌｏｃａｌ  Ａｒｅａ  Ｎｅｔｗｏｒｋ）、Ｗｉｒｅｌｅｓｓ  ＬＡＮ（Ｗｉｒｅｌｅｓｓ  Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＰＡＮ（Ｐｅｒｓｏｎａｌ  Ａｒｅａ  Ｎｅｔｗｏｒｋ）、ブルートゥース（Ｂｌｕｅｔｏｏｔｈ）ネットワーク、衛星放送ネットワーク、アナログ放送ネットワーク、ＤＭＢ（Ｄｉｇｉｔａｌ  Ｍｕｌｔｉｍｅｄｉａ  Ｂｒｏａｄｃａｓｔｉｎｇ）ネットワークなどが含まれるが、これに限らない。
【００２２】
本発明の一実施例に係る販売者の装置１０は、オンライン上において、ウェブページを通じて商品またはサービスを提供する販売者サーバであるか、オフライン上において、商品またはサービスを販売し、ＰＯＳ（Ｐｏｉｎｔ  ｏｆ  Ｓａｌｅｓ）端末を通じて決済を要請する販売者の端末であり得る。決済者がオンラインまたはオフライン上で注文しようとする商品またはサービスを選択すれば、販売者の装置１０は、決済段階を行うために決済サーバ２００へ決済を要請する。そして、販売者の装置１０は、決済サーバ２００で決済が完了した場合、決済完了情報を受信し、決済が失敗した場合、決済失敗情報を受信する。
【００２３】
決済者の端末２０は、決済者が代金を決済するために使用する端末のことを意味する。決済者がオフラインまたはオンライン上で商品またはサービスに対する決済をしようとする場合、決済者は、決済者の端末２０を通じて商品またはサービスに対する決済をすることができる。そのとき、決済者の端末２０は、決済を行うにおいて、決済者の端末２０にインストールされたチャットアプリケーションのチャットルームを利用することができる。
【００２４】
一方、決済者は、販売者が提供する商品またはサービスの購買に対する代金を決済するユーザであり得る。また、本発明の一実施例に係る決済者は、商品またはサービスを実際に使用する実際の購買者であるか、決済のみを行い、実際には商品またはサービスを使用しない単なる決済者であり得る。
【００２５】
インスタントメッセージサーバ１００は、決済者の端末２０とインスタントメッセージを送受信する。即ち、インスタントメッセージサーバ１００は、決済者の端末２０に、決済者の端末２０で決済を行うための第１インスタントメッセージを転送し、決済サーバ２００からの要請を受信するにつれ、第１インスタントメッセージの受信を許容するか拒否する入力信号を受信するための第２インスタントメッセージを転送する。
【００２６】
このとき、第１ないし第２インスタントメッセージは、決済者の端末２０にインストールされたチャットアプリケーション上で生成された仮想主体とのチャットルームを通じて提供され得る。また、第１インスタントメッセージの受信を許容する入力と拒否する入力は、第２インスタントメッセージのように一つのインスタントメッセージで提供されてもよい。これとは異なり、第１インスタントメッセージの受信を許容する入力と拒否する入力は、それぞれ別個のインスタントメッセージで提供されてもよい。即ち、下記図４で説明するように、第１インスタントメッセージの受信を許容する入力信号を受信するための第３インスタントメッセージＰ４１０と第１インスタントメッセージの受信を拒否する入力信号を受信するための第４インスタントメッセージＰ４３０のように、それぞれ別個のインスタントメッセージで提供されてもよい。
【００２７】
また、第２インスタントメッセージは、第１インスタントメッセージの受信を許容する有効時間と第１インスタントメッセージの受信を拒否する有効時間とを含んでいる。そのとき、第１インスタントメッセージの受信を許容する入力と拒否する入力は、一つの第２インスタントメッセージで提供されてもよく、これとは異なり、それぞれ別個のインスタントメッセージで提供されてもよい。これにより、別個のインスタントメッセージで提供される場合、受信を許容する入力信号を受信するためのインスタントメッセージは、受信を許容する有効時間を含み、受信を拒否する入力信号を受信するためのインスタントメッセージは、受信を拒否する有効時間をそれぞれ含み得る。このような有効時間は、決済サーバ２００で基本的に設定され、決済者の端末２０に提供され得る。これとは異なり、決済者の端末２０で決済者が所望する受信許容及び拒否に対する有効時間を設定すれば、これに関する情報が決済サーバ２００またはインスタントメッセージサーバ１００に転送され、これにより、決済サーバ２００またはインスタントメッセージサーバ１００は、第１インスタントメッセージを転送するか、転送を遮断することができる。
【００２８】
決済サーバ２００は、決済者の端末２０を通じて、販売者の装置１０で販売する商品またはサービスに対する決済を行う。そのとき、決済サーバ２００は、販売者から商品またはサービスに対する決済要請を受信すれば、決済要請に対応して決済者の端末２０で決済を行うための第１インスタントメッセージの受信許容または受信拒否が設定されているか否かを判断する。判断の結果、受信許容または拒否に対して設定されていない場合、第１インスタントメッセージの受信を許容するか、拒否する入力信号を受信するためのインスタントメッセージを決済者の端末２０に転送するように、インスタントメッセージサーバ１００へ要請する。決済サーバ２００は、決済者の端末２０から第１インスタントメッセージの受信を許容する入力に関する情報を受信した場合、有効時間の間、第１インスタントメッセージを決済者の端末２０に転送するように、インスタントメッセージサーバ１００へ要請する。
【００２９】
これとは異なり、決済者の端末２０から第１インスタントメッセージの受信を拒否する入力に関する情報を受信した場合、有効時間の間、決済者の端末に第１インスタントメッセージの転送が遮断されることができる。このような第１インスタントメッセージの転送遮断は、決済サーバ２００が遮断するか、これとは異なり、インスタントメッセージサーバ１００で転送を遮断することもできる。
【００３０】
決済者の端末２０が有効時間の間、第１インスタントメッセージを受信し、チャットルームに表示された第１インスタントメッセージを通じて決済を受諾した場合、決済サーバ２００は、決済者の端末２０から商品またはサービスに関する情報を受信し、決済者の端末２０に入力されたパスワードと決済カードに対応するパスワードとが一致するか否かを確認し、一致する場合、金融社サーバ３００へ決済に対する承認を要請する。
【００３１】
金融社サーバ３００は、決済サーバ２００から受信した決済承認の要請に対応して商品またはサービスに対する決済を承認する。
【００３２】
一方、本発明において、第１インスタントメッセージは、商品またはサービスの決済を行うためのインスタントメッセージであって、第１インスタントメッセージの受信を許容するか拒否する入力信号を受信するためのインスタントメッセージとは区別される。このような第１インスタントメッセージは、決済要請に従って一つ以上が決済者の端末２０に転送されることができ、このとき、第１インスタントメッセージは、販売者別または商品／サービス別に区別されて転送され得る。
【００３３】
一方、インスタントメッセージサーバ１００と決済サーバ２００とは、それぞれ独立したサーバコンピュータ（ｓｅｒｖｅｒ  ｃｏｍｐｕｔｅｒ）で実行されるか、図１の（Ａ）のように、同一のサーバコンピュータにサーバプログラム（ｓｅｒｖｅｒ  ｐｒｏｇｒａｍ）として搭載され、それぞれ実行され得る。
【００３４】
また、本発明の一実施例に係る決済者の端末２０は、決済サーバ２００及びインスタントメッセージサーバ１００に接続できるユーザの端末であり得る。例えば、決済者の端末２０は、携帯性と移動性が保障される無線通信装置、即ち、ＰＣＳ（Ｐｅｒｓｏｎａｌ  Ｃｏｍｍｕｎｉｃａｔｉｏｎ  Ｓｙｓｔｅｍ）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ：登録商標）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ  Ｄｉｖｉｓｉｏｎ  ＭｕｌｔｉｐｌｅＡｃｃｅｓｓ）、Ｗｉｂｒｏ（Ｗｉｒｅｌｅｓｓ  Ｂｒｏａｄｂａｎｄ  Ｉｎｔｅｒｎｅｔ）端末などのような全ての種類のハンドヘルド（Ｈａｎｄｈｅｌｄ）に基づいた無線通信装置を含み得る。
【００３５】
また、決済者の端末２０は、携帯用端末にインターネット通信と情報検索などのコンピュータ支援機能を追加した知能型端末であり、ユーザが所望する多数の応用プログラム（即ち、アプリケーション）をインストールして実行できるスマートフォン（ｓｍａｒｔ  ｐｈｏｎｅ）であり得る。決済者の端末２０は、ＰＣなどのように決済サーバ２００及びインスタントメッセージサーバ１００と有／無線通信を介して接続できるユーザの端末であり得る。
【００３６】
以下では、図２ａ〜図３ｂを参照しながら、本発明の一実施例に係る決済サーバ２００におけるインスタントメッセージを利用した安全決済方法について具体的に説明する。
【００３７】
図２ａ及び図２ｂは、第１インスタントメッセージの受信を許容した場合に対する決済過程のフローチャートである。
【００３８】
まず、図２ａを参照すれば、本発明の一実施例に係る安全決済方法は、販売者の装置１０から商品またはサービスに対する決済要請を受信する（Ｓ２０１）。即ち、オフライン上の販売者の端末またはオンライン上の販売者のウェブページを具現する販売者サーバは、注文する商品またはサービスに関する情報と決済者の端末に関する情報（例えば、電話番号、チャットアプリケーションのＩＤなど）とを含む商品またはサービスに対する決済要請を決済サーバ２００に転送する（Ｓ２０１）。
【００３９】
このとき、本発明に係る安全決済方法は、安全決済サービスの加入有無を判断するステップ（Ｓ２０２）をさらに含み得る。これにより、安全決済サービスに加入された場合、決済サーバ２００は、第１インスタントメッセージの受信許容または拒否が設定されているか否かを判断し（Ｓ２０３）、加入されていない場合、販売者の装置１０に決済失敗情報を転送することができる（Ｓ２０２ａ）。
【００４０】
次に、決済サーバ２００は、決済要請を受信するにつれ、決済者の端末２０において、決済を行うための第１インスタントメッセージの受信許容または拒否が設定されているか否かを判断する（Ｓ２０３）。そのとき、第１インスタントメッセージの受信許容または拒否が設定されていない場合、決済サーバ２００は、第１インスタントメッセージの受信を許容または拒否する入力信号を受信するための第２インスタントメッセージを決済者の端末２０に転送するように、インスタントメッセージサーバ１００へ要請する（Ｓ２０５）。
【００４１】
これにより、インスタントメッセージサーバ１００は、第２インスタントメッセージを決済者の端末２０に転送し（Ｓ２０７）、第２インスタントメッセージを受信した決済者の端末２０は、これに対して受信を許容するか拒否する入力信号をユーザから受信した後、決済サーバ２００にその結果を転送する。そのとき、決済者の端末２０が第１インスタントメッセージの受信を許容する入力信号を受信した場合（Ｓ２０９）、決済者の端末２０は、第１インスタントメッセージの受信を許容する入力信号を受信したという情報を決済サーバ２００に転送し（Ｓ２１１）、これを受信した決済サーバ２００は、インスタントメッセージサーバ１００へ第１インスタントメッセージの転送を要請する（Ｓ２１５）。
【００４２】
一方、第２インスタントメッセージは、第１インスタントメッセージの受信を許容または拒否する有効時間を含んでいる。これにより、決済サーバ２００は、第２インスタントメッセージに対応して、第１インスタントメッセージの受信を許容する入力に関する情報を受信した場合、決済サーバ２００が有効時間の間にのみ第１インスタントメッセージに対する転送をインスタントメッセージサーバ１００へ要請するか、有効時間に関する情報をインスタントメッセージサーバ１００に転送し、インスタントメッセージサーバ１００が、有効時間の間、決済サーバ２００が転送要請した第１インスタントメッセージを決済者の端末２０に転送するようにすることができる。例えば、第２インスタントメッセージの受信許容の有効時間が『５分』と設定された場合、決済者の端末２０は、『５分』の間にのみ第１インスタントメッセージを受信し、５分が経過すれば、第１インスタントメッセージの受信は遮断され、また、第１インスタントメッセージの受信を許容するかを問い合わせる第２インスタントメッセージを受信するようになる。
【００４３】
このように、決済者の端末２０がインスタントメッセージサーバ１００から第１インスタントメッセージを受信し（Ｓ２１５）、第１インスタントメッセージを通じて決済を受諾すれば（Ｓ２１７）、決済受諾情報が決済サーバ２００に転送され（Ｓ２１９）、これにより、決済サーバ２００は、決済が完了したと判断し（Ｓ２２１）、決済完了情報を販売者に転送する（Ｓ２２３）。
【００４４】
これに加え、決済完了情報を決済者の端末２０に転送するために、決済サーバ２０は、決済完了情報をインスタントメッセージサーバ１００に転送し（Ｓ２２５）、これにより、インスタントメッセージサーバ１００は、決済者の端末２０にチャットウィンドウを介して決済完了に関するインスタントメッセージを転送することができる（Ｓ２２７）。
【００４５】
次いで、図２ｂを参照しながら、第１インスタントメッセージの受信が許容された後の状態を説明する。
【００４６】
決済サーバ２００が決済者の端末２０から第２インスタントメッセージに対応する入力として、第１インスタントメッセージの受信を許容する入力に関する情報を受信した場合、有効時間の間、第１インスタントメッセージは、決済者の端末２０に送信可能な状態となる。このような状態で、決済サーバ２００が販売者の装置１０から商品またはサービスに対する決済要請を受信すれば（Ｓ２５１）、決済サーバ２００は、決済要請に対応して決済者の端末２０において、第１インスタントメッセージの受信許容または拒否が設定されているか否かを判断する（Ｓ２５３）。また、決済サーバ２０は、既に決済者の端末２０が第１インスタントメッセージの受信を許容したか拒否した場合、これに対応する有効時間内か否かを判断する。そのとき、決済者の端末２０は、第１インスタントメッセージを受信すると許容した状態であって、有効時間内である場合、決済サーバ２００は、インスタントメッセージサーバ１００へ第２インスタントメッセージの転送を要請せずに、第１インスタントメッセージを決済者の端末２０に転送するように要請する（Ｓ２５５）。
【００４７】
このとき、本発明に係る安全決済方法は、安全決済サービスの加入有無を判断するステップ（Ｓ２５２）をさらに含み得る。これにより、安全決済サービスに加入された場合、決済サーバ２００は、第１インスタントメッセージの受信許容または拒否が設定されているか否かを判断し（Ｓ２５３）、加入されていない場合、販売者の装置１０に決済失敗情報を転送することができる（Ｓ２５２ａ）。
【００４８】
決済サーバ２００の要請に従い、インスタントメッセージサーバ１００は、第１インスタントメッセージを決済者の端末２０に転送し（Ｓ２５７）、決済者の端末２０が第１インスタントメッセージを通じて決済を受諾すれば（Ｓ２５９）、決済受諾情報が決済サーバ２００に転送され（Ｓ２６１）、これにより、決済サーバ２００は、決済が完了したと判断し（Ｓ２６３）、決済完了情報を販売者に転送する（Ｓ２６５）。
【００４９】
これに加え、決済完了情報を決済者の端末２０に転送するために、決済サーバ２０は、決済完了情報をインスタントメッセージサーバ１００に転送し（Ｓ２６７）、これにより、インスタントメッセージサーバ１００は、決済者の端末２０にチャットウィンドウを介して決済完了に対するインスタントメッセージを転送することができる（Ｓ２６９）。
【００５０】
このとき、第２インスタントメッセージに含まれた有効時間の間には、決済要請回数だけの第１インスタントメッセージが決済者の端末２０に転送され、有効時間が満了した場合には、再び第２インスタントメッセージが決済者の端末２０に転送される。
【００５１】
図３ａ及び図３ｂは、第１インスタントメッセージの受信を拒否した場合にした決済過程のフローチャートである。
【００５２】
まず、図３ａを参照すれば、決済サーバ２００は、販売者の装置１０から商品またはサービスに対する決済要請を受信する（Ｓ３０１）。次いで、決済サーバ２００は、決済要請を受信するにつれ、決済者の端末２０において、決済を行うための第１インスタントメッセージの受信許容または拒否が設定されているか否かを判断する（Ｓ３０３）。そのとき、第１インスタントメッセージの受信許容または拒否が設定されていない場合、決済サーバ２００は、第１インスタントメッセージの受信を許容または拒否する入力信号を受信するための第２インスタントメッセージを決済者の端末２０に転送するようにインスタントメッセージサーバ１００へ要請する（Ｓ３０５）。
【００５３】
このとき、本発明に係る安全決済方法は、図２ａ〜図２ｂで説明したように、安全決済サービスの加入有無を判断するステップ（Ｓ３０２）をさらに含むことができ、これにより、安全決済サービスに加入された場合、決済サーバ２００は、第１インスタントメッセージの受信許容または拒否が設定されているか否かを判断し（Ｓ３０３）、加入されていない場合、販売者の装置１０に決済失敗情報を転送することができる（Ｓ３０２ａ）。
【００５４】
一方、第２インスタントメッセージは、第１インスタントメッセージの受信を許容及び拒否する入力信号を受信するためのインスタントメッセージであり得る。また、第２インスタントメッセージは、第１インスタントメッセージの受信を許容するか拒否する有効時間を含み得る。
【００５５】
これにより、インスタントメッセージサーバ１００は、第２インスタントメッセージを決済者の端末２０に転送し（Ｓ３０７）、第２インスタントメッセージを受信した決済者の端末２０は、これに対して受信を許容するか拒否する入力信号を受信する。そのとき、決済者の端末２０が、第２インスタントメッセージに対応して、第１インスタントメッセージの受信を拒否する入力信号を受信した場合（Ｓ３０９）、決済者の端末２０は、第１インスタントメッセージの受信の拒否に関する情報を決済サーバ２００に転送し（Ｓ３１１）、これを受信した決済サーバ２００は、販売者の装置１０に決済が失敗したことを知らせる情報を転送する（Ｓ３１３）。そして、決済サーバ２００は、有効時間の間、決済者の端末２０への第１インスタントメッセージの転送要請をしないか、有効時間に関する情報をインスタントメッセージサーバ１００に転送して、インスタントメッセージサーバ１００が、決済サーバ２００が転送要請した第１インスタントメッセージを転送できないようにすることができる。
【００５６】
また、本発明に係る安全決済方法は、決済失敗情報を決済者の端末２０に転送するために、決済サーバ２０は、決済失敗情報をインスタントメッセージサーバ１００に転送し（Ｓ３１５）、これにより、インスタントメッセージサーバ１００は、決済者の端末２０にチャットウィンドウを介して決済失敗に対するインスタントメッセージを転送することができる（Ｓ３１７）。
【００５７】
次に、図３ｂを参照しながら、第１インスタントメッセージの受信が拒否された後の状態を説明する。
【００５８】
決済サーバ２００が、決済者の端末２０から第２インスタントメッセージに対応する入力として、第１インスタントメッセージの受信を拒否する入力に関する情報を受信した場合、有効時間の間、第１インスタントメッセージは、決済者の端末２０に転送が遮断される。このような状態で、決済サーバ２００が販売者の装置１０から商品またはサービスに対する決済要請を受信すれば（Ｓ３５１）、決済サーバ２００は、決済要請に対応して、決済者の端末２０において、第１インスタントメッセージの受信許容または拒否が設定されているか否かを判断する（Ｓ３５３）。また、決済サーバ２０は、既に決済者の端末２０が第１インスタントメッセージの受信を許容するか拒否した場合、これに対応する有効時間内か否かを判断する。そのとき、決済者の端末２０において、第１インスタントメッセージを受信することが拒否された状態であるので、決済サーバ２００は、第１インスタントメッセージが決済者の端末２０に転送されないように遮断する。これにより、決済サーバ２００は、販売者の装置１０に決済失敗情報を転送する（Ｓ３５５）。一方、第１インスタントメッセージの転送遮断は、決済サーバ２００だけでなく、インスタントメッセージサーバ１００が遮断することもできる。
【００５９】
一方、本発明に係る安全決済方法は、安全決済サービスの加入有無を判断するステップ（Ｓ３５２）をさらに含むことができ、安全決済サービスに加入された場合、決済サーバ２００は、第１インスタントメッセージの受信許容または拒否が設定されているか否か、及び、有効時間内か否かを判断し（Ｓ３５３）、加入されていない場合、販売者の装置１０に決済失敗情報を転送することができる（Ｓ３５２ａ）。また、本発明に係る安全決済方法は、決済失敗情報を決済者の端末２０に転送するために、決済サーバ２０は、決済失敗情報をインスタントメッセージサーバ１００に転送し（Ｓ３５７）、これにより、インスタントメッセージサーバ１００は、決済者の端末２０にチャットウィンドウを介して決済失敗に関するインスタントメッセージを転送することができる（Ｓ３５９）。
【００６０】
一方、第２インスタントメッセージは、第１インスタントメッセージの受信を拒否する有効時間を含んでおり、決済者が第２インスタントメッセージを通じて受信を拒否する場合、このような有効時間の間には、決済要請にもかかわらず、決済者の端末２０への第１インスタントメッセージの転送は遮断される。また、有効時間の間には、決済要請にもかかわらず、第２インスタントメッセージの転送は遮断される。
【００６１】
図２ａ〜図３ｂの説明において、各ステップは、本発明の具現例により、追加的なステップにさらに分割されるか、より少ないステップで組合されることができる。また、一部のステップは、必要に応じて省略されることもでき、ステップ間の順序が変更されることもできる。
【００６２】
以下では、図２ａ〜図３ｂで説明した本発明の一実施例に係る安全決済方法の一連の過程に関する例示を、図４〜図６を参照しながら説明する。
【００６３】
図４は、商品またはサービスの決済に関連した第１インスタントメッセージの受信を許容する入力信号を受信するための第３インスタントメッセージＰ４１０、及び、第１インスタントメッセージの受信を拒否する入力信号を受信するための第４インスタントメッセージＰ４３０を示した図である。
【００６４】
決済サーバ２００が販売者の装置１０から決済要請を受信すれば、決済サーバ２００は、第１インスタントメッセージの受信許容または拒否が設定されているか否かを判断する。そのとき、第１インスタントメッセージの受信許容または拒否が設定されていない場合、第３インスタントメッセージＰ４１０を決済者の端末２０に転送するように、インスタントメッセージサーバ１００へ要請する。
【００６５】
このような要請を受信したインスタントメッセージサーバ１００は、図４に示されたように、第３インスタントメッセージＰ４１０を決済者の端末２０に転送する。そのとき、第３インスタントメッセージＰ４１０と共に第４インスタントメッセージＰ４３０を転送することができる。
【００６６】
第３インスタントメッセージＰ４１０及び第４インスタントメッセージＰ４３０は、決済者の端末２０にインストールされたチャットアプリケーション上に生成された仮想主体Ｐ４００とのチャットルームを通じて提供される。そして、第３インスタントメッセージＰ４１０には、第１インスタントメッセージの受信を許容する入力信号を受信するための入力ボタンＰ４１１であって、『５分間メッセージ許容』と記載された第１入力ボタンＰ４１１を含み、第４インスタントメッセージＰ４３０には、第１インスタントメッセージの受信を拒否する入力信号を受信するための入力ボタンＰ４３１であって、『１時間受信拒否』と記載された第２入力ボタンＰ４３１を含む。そのとき、第１入力ボタンＰ４１１及び第２入力ボタンＰ４３１は、いずれか一方が活性化される場合、他方は非活性化され得る。例えば、決済者が、第１インスタントメッセージの受信を許容するために第１入力ボタンＰ４１１を選択する場合、５分間第１インスタントメッセージは受信許容状態となり、これにより、第２入力ボタンＰ４３１は５分間非活性化状態になる。
【００６７】
一方、販売者の装置１０が一つ以上である場合、第３インスタントメッセージＰ４３０は、一つ以上の販売者の装置１０から受信した決済要請に対応する一つ以上の第１インスタントメッセージの受信を共に許容する入力信号を受信するためのものであり得る。即ち、第１販売者の装置から決済要請を受信するにつれ、第３インスタントメッセージＰ４１０が決済者の端末２０に転送され、決済者が、第１インスタントメッセージの受信を許容した場合、有効時間の間、最初の決済要請を転送した第１販売者の装置だけでなく、有効時間の間、決済要請を一第２販売者の装置に対する第１インスタントメッセージも受信することができる。
【００６８】
これとは異なり、販売者の装置１０が一つ以上である場合、第３インスタントメッセージは、一つ以上の販売者の装置１０別にそれぞれ第１インスタントメッセージを許容するように転送されることができる。即ち、第１販売者の装置から決済要請を受信すれば、これにより、第３インスタントメッセージＰ４１０が転送され、決済者が、これに対して第１インスタントメッセージの受信を許容した場合、第１販売者の装置と異なる第２販売者の装置から決済要請を受信すれば、第２販売者の装置に対応する第３インスタントメッセージＰ４１０が新たに決済者の端末２０に転送され得る。
【００６９】
一方、決済者が一つ以上の商品またはサービスを購入しようとする場合、第３インスタントメッセージＰ４１０は、一つ以上の商品またはサービスに対応する一つ以上の第１インスタントメッセージの受信を共に許容する入力信号を受信するためのものであり得る。即ち、販売者の装置１０から決済要請を受信するにつれ、第３インスタントメッセージＰ４１０が決済者の端末２０に転送され、決済者が第１インスタントメッセージの受信を許容した場合、有効時間の間、最初に決済要請された商品またはサービスだけでなく、その後に決済要請をした他の商品またはサービスに対する第１インスタントメッセージも受信することができる。
【００７０】
これとは異なり、決済者が一つ以上の商品またはサービスを購入しようとする場合、第３インスタントメッセージＰ４１０は、一つ以上の商品またはサービス別に第１インスタントメッセージの受信を許容する入力信号を受信するためのものであり得る。即ち、販売者の装置１０から第１商品に対する決済要請を受信すれば、これにより、第３インスタントメッセージＰ４１０が転送され、決済者が、これに対して第１インスタントメッセージの受信を許容した場合、第１商品と異なる第２商品に対して新たに決済要請を受信すれば、第２商品に対応する第３インスタントメッセージＰ４１０が新たに決済者の端末２０に転送され得る。
【００７１】
これに類似して、第４インスタントメッセージＰ４３０も、一つ以上の販売者の装置１０から受信した決済要請に対応する一つ以上の第１インスタントメッセージの受信を共に拒否する入力信号を受信するためのものであり得る。これとは異なり、第４インスタントメッセージＰ４３０は、一つ以上の販売者の装置１０別にそれぞれ第１インスタントメッセージを拒否するように転送され得る。
【００７２】
また、第４インスタントメッセージＰ４３０は、一つ以上の商品またはサービスに対応する一つ以上の第１インスタントメッセージの受信を共に拒否する入力信号を受信するためのものであり得る。これとは異なり、第４インスタントメッセージＰ４３０は、一つ以上の商品またはサービス別に第１インスタントメッセージの受信を拒否する入力信号を受信するためのものであり得る。
【００７３】
図５ａ及び図５ｂは、第１インスタントメッセージの受信許容または拒否を解除するためのインターフェイスを示した図である。図６ａは、決済者の端末２０に受信された第１インスタントメッセージ（Ｐ６１０）の一例示を示した図であり、図６ｂは、決済者の端末２０で決済モジュールが実行された一例示を示した図である。
【００７４】
本発明の一実施例に係る安全決済方法は、決済サーバ２００が第１インスタントメッセージの受信を許容する入力に関する情報を受信した場合、決済者の端末２０には、第１インスタントメッセージの受信許容を解除する入力ボタン（Ｐ５１０）が活性化され得る。また、決済サーバ２００が第１インスタントメッセージの受信を拒否する入力に関する情報を受信した場合、決済者の端末２０には、第１インスタントメッセージの受信拒否を解除する入力ボタン（Ｐ５３０）が活性化され得る。そのとき、決済者の端末２０にディスプレイされたユーザインターフェイスは、左右方向に入力ボタンをスライド移動させることで、受信許容及び拒否を解除するように構成され得る。また、ユーザインターフェイスは、受信許容及び受信拒否に対する有効時間を含み、ユーザに現在残った有効時間を表示するように構成され得る。
【００７５】
これに関する例示として、図６ａを参照すれば、決済者が第２インスタントメッセージを通じて第１インスタントメッセージを５分間受信すると許容する場合、図６ａのようなユーザインターフェイスが決済者の端末２０にディスプレイされ得る。決済者が第１インスタントメッセージを受信すると許容すれば、スライドは右側方向に移動された状態にディスプレイされる。そのとき、決済者が商品またはサービスに対する決済を皆完了し、さらに決済する商品またはサービスがない場合、第１インスタントメッセージの受信許容を解除する入力ボタン（Ｐ５１０）を右側にスライド移動させることで、受信許容を解除することができる。
【００７６】
同様に、決済者が第１インスタントメッセージの受信を拒否した場合、スライドは、左側方向に移動された状態にディスプレイされる。そのとき、決済者が商品またはサービスに対して決済を新たにしようとする場合、第１インスタントメッセージの受信拒否を解除する入力ボタン（Ｐ５３０）を左側にスライド移動させ、受信拒否を解除することができる。
【００７７】
一方、ユーザインターフェイスは、決済者の端末２０のユーザからある命令ないし情報の入力を受けることができる。この場合、ユーザインターフェイスは、一般的にキーボード、マウス、タッチパッド、タッチスクリーンなどのような入力装置であってもよく、映像表示装置に表現されるグラフィックユーザインターフェイス（ＧＵＩ、Ｇｒａｐｈｉｃａｌ  Ｕｓｅｒ  ｉｎｔｅｒｆａｃｅ）であってもよい。
【００７８】
一方、第２インスタントメッセージを通じて第１インスタントメッセージの受信を許容した場合、図６ａに示されたような第１インスタントメッセージ（Ｐ６１０）が決済者の端末２０に転送される。決済者が第１インスタントメッセージ（Ｐ６１０）の『決済』ボタンＰ６２０を通じて決済を受諾すれば、決済サーバ２００は、決済者の端末２０で決済モジュールが実行されるように要請する。これにより、図６ｂに示されたように、決済モジュールは、決済サービスの加入時に登録された決済カードを選択する入力窓Ｐ６３０と、その他詳細の決済方法Ｐ６４０を選択する入力窓をディスプレイし、決済者が『決済情報の確認及び同意』ボタンＰ６５０を入力すれば、選択した決済カードに対応するパスワードを入力するようにし、このような情報は決済サーバ２００に転送される。決済サーバ２００は、決済者の端末２０から受信したパスワードと加入時の決済カードに対応するパスワードの一致有無を確認し、パスワードが一致する場合、金融社サーバ３００へ決済に対する承認を要請する。
【００７９】
以下では、図７を参照しながら、本発明の一実施例に係る決済サーバ２００及びインスタントメッセージについて説明する。
【００８０】
図７は、本発明の一実施例に係る決済サーバ２００を示したブロック図である。
【００８１】
本発明の一実施例に係るインスタントメッセージを利用して安全決済を行う決済サーバ２００は、通信モジュール７１０、メモリ７２０及びプロセッサ７３０を含む。当業者であれば、通信モジュール７１０、メモリ７２０及びプロセッサ７３０のそれぞれが分離して具現されるか、このうち一つ以上が統合されて具現され得ることが充分に理解できるであろう。
【００８２】
参考として、本発明の実施例に係る図７に示された構成要素は、ソフトウェアまたはＦＰＧＡ（Ｆｉｅｌｄ  Ｐｒｏｇｒａｍｍａｂｌｅ  Ｇａｔｅ  Ａｒｒａｙ）またはＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）のようなハードウェアの形態で具現されてもよく、所定の役割を果たす。
【００８３】
しかしながら、「構成要素」は、ソフトウェアまたはハードウェアに限定される意味ではなく、各構成要素は、アドレッシングできる格納媒体にあるように構成されてもよく、一つまたはそれ以上のプロセッサを再生させるように構成されてもよい。
【００８４】
従って、一例として、構成要素は、ソフトウェア構成要素、客体志向ソフトウェア構成要素、クラス構成要素及びタスク構成要素のような構成要素と、プロセス、関数、属性、プロシージャ、サブルーチン、プログラムコードのセグメント、ドライバ、ファームウェア、マイクロコード、回路、データ、データベース、データ構造、テーブル、アレイ及び変数を含む。
【００８５】
構成要素と該当構成要素の中で提供される機能は、より小さい数の構成要素で結合されるか、追加の構成要素にさらに分離されることができる。
【００８６】
通信モジュール７１０は、販売者の装置１０、決済者の端末２０及びインスタントメッセージサーバ１００と送受信する。即ち、通信モジュール７１０は、販売者の装置１０から決済する商品またはサービスに対する注文情報を受信し、注文情報に対応する決済者の情報を受信する。そのとき、通信モジュール７１０は、有線通信モジュール及び無線通信モジュールの全てを含み得る。有線通信モジュールは、電力線通信装置、電話線通信装置、ケーブルホーム（ＭｏＣＡ）、イーサネット（Ｅｔｈｅｒｎｅｔ：登録商標）、ＩＥＥＥ１２９４、統合有線ホームネットワーク及びＲＳ−４８５制御装置で具現され得る。また、無線通信モジュールは、ＷＬＡＮ（ｗｉｒｅｌｅｓｓ  ＬＡＮ）、Ｂｌｕｅｔｏｏｔｈ（登録商標）、ＨＤＲ  ＷＰＡＮ、ＵＷＢ、ＺｉｇＢｅｅ、Ｉｍｐｕｌｓｅ  Ｒａｄｉｏ、６０ＧＨｚ  ＷＰＡＮ、Ｂｉｎａｒｙ−ＣＤＭＡ、無線ＵＳＢ技術及び無線ＨＤＭＩ（登録商標）技術などで具現され得る。
【００８７】
メモリ７２０には、商品またはサービスの安全決済のためのプログラムが格納される。ここで、メモリ７２０は、電源が供給されなくても格納された情報を維持し続ける非揮発性格納装置を含む。
【００８８】
プロセッサ７３０は、メモリ７２０に格納されたプログラムを実行させる。そのとき、プロセッサ７３０は、通信モジュール７１０が販売者の装置１０から商品またはサービスに対する決済要請を受信すれば、プロセッサ７３０は、プログラムを実行させることにより、決済要請に対応して、決済者の端末２０において、決済を行うための第１インスタントメッセージの受信許容または拒否が設定されているか否かを判断する。そして、第１インスタントメッセージの受信許容または拒否が設定されていないと判断した場合、第１インスタントメッセージの受信を許容または拒否する入力信号を受信するための第２インスタントメッセージを決済者の端末２０に転送するように、インスタントメッセージサーバ１００へ要請する。そして、プロセッサ７３０は、通信モジュール７１０を通じて第２インスタントメッセージに対応する入力に関する情報を受信する。
【００８９】
このとき、第２インスタントメッセージは、第１インスタントメッセージの受信を許容するか拒否する有効時間を含み得る。これにより、第２インスタントメッセージに対応して通信モジュール７１０が決済者の端末２０から第１インスタントメッセージの受信を許容する入力に関する情報を受信した場合、プロセッサ７３０は、有効時間の間第１インスタントメッセージを決済者の端末２０に転送するように、インスタントメッセージサーバ１００へ要請することができる。
【００９０】
または、有効時間に関する情報をインスタントメッセージサーバ１００に転送し、インスタントメッセージサーバ１００が、有効時間の間、決済サーバ２００が転送要請した第１インスタントメッセージを決済者の端末２０に転送するようにすることができる。そして、第２インスタントメッセージに対応して、通信モジュール７１０が決済者の端末２０から第１インスタントメッセージの受信を拒否する入力に関する情報を受信した場合、プロセッサ７３０は、有効時間の間、決済者の端末２０へ第１インスタントメッセージの転送要請をしないか、有効時間に関する情報をインスタントメッセージサーバ１００に転送し、インスタントメッセージサーバ１００が、決済サーバ２００が転送要請した第１インスタントメッセージを転送できないようにすることができる。これに加え、プロセッサ７３０は、販売者の装置１０から決済要請を新たに受信した場合、有効時間の間、決済者の端末２０への第２インスタントメッセージの転送を遮断することもできる。
【００９１】
図８は、本発明の一実施例に係る決済者の端末におけるインスタントメッセージを利用した安全決済方法のフローチャートである。
【００９２】
本発明に係る決済者の端末２０における安全決済方法は、まず、決済者の端末２０において、決済を行うための第１インスタントメッセージの受信を許容または拒否する入力信号を受信するための第２インスタントメッセージをインスタントメッセージサーバ１００から受信する（Ｓ８１０）。そのとき、第２インスタントメッセージは、決済サーバ２００が販売者の装置１０から商品またはサービスに対する決済要請を受信するにつれ、決済要請に対応して、第１インスタントメッセージの受信許容または拒否が設定されているか否かを判断し、決済サーバ２０が第１インスタントメッセージの受信許容または拒否が設定されていない場合に、インスタントメッセージサーバ１００が転送するインスタントメッセージである。
【００９３】
次いで、決済者から第２インスタントメッセージに対応する入力を受信し（Ｓ８２０）、第２インスタントメッセージに対応する入力に関する情報を決済サーバ２００に転送する（Ｓ８３０）。
【００９４】
一方、第２インスタントメッセージは、第１インスタントメッセージの受信を許容または拒否する有効時間を含む。また、決済者の端末２０は、決済者から第２インスタントメッセージに対応して、第１インスタントメッセージの受信を許容する入力を受信した場合、有効時間の間、インスタントメッセージサーバ１００から前記第１インスタントメッセージを受信する。
【００９５】
このとき、第２インスタントメッセージは、第１インスタントメッセージの受信を許容する入力信号を受信するための第１入力ボタン、及び、第１インスタントメッセージの受信を拒否する入力信号を受信するための第２入力ボタンを含み得る。これにより、第１入力ボタン及び第２入力ボタンは、いずれか一方が活性化される場合、他方は非活性化され得る。
【００９６】
一方、本発明に係る決済サーバ２００及び決済者の端末２０は、図１〜図６で説明した安全決済方法の各ステップにより行われる構成であり、以下、具体的な内容は省略する。
【００９７】
本発明の一実施例は、コンピュータにより実行されるプログラムモジュールと、同一のコンピュータにより実行可能な命令語を含む記録媒体の形態でも具現され得る。コンピュータ読み取り可能な媒体は、コンピュータによってアクセスできる任意の可用媒体であってもよく、揮発性及び非揮発性媒体、分離型及び非分離型の媒体の全てを含む。また、コンピュータ読み取り可能な媒体は、コンピュータ格納媒体及び通信媒体の全てを含み得る。コンピュータ格納媒体は、コンピュータ読み取り可能な命令語、データ構造、プログラムモジュール、または、その他データのような情報の格納のための任意の方法または技術で具現された揮発性及び非揮発性、分離型及び非分離型の媒体の全てを含む。通信媒体は、典型的にコンピュータ読み取り可能な命令語、データ構造、プログラムモジュール、または、搬送波のような変調されたデータ信号のその他データ、または、その他転送メカニズムを含み、任意の情報伝達媒体を含む。
【００９８】
本発明の方法及びシステムは、特定の実施例に係って説明されているが、それらの構成要素または動作の一部または全ては、汎用ハードウェアアーキテクチャーを有するコンピュータシステムを用いて具現され得る。
【００９９】
前述した本発明の説明は例示のためのものであり、本発明が属する技術分野の通常の知識を持った者は、本発明の技術的思想や必須の特徴を変更せずに他の具体的な形態に容易に変形が可能であるということが理解できるはずである。それゆえ、上記した実施例は、全ての面において例示的なものであり、限定的なものではないと理解するべきである。例えば、単一型で説明されている各構成要素は分散して実施されることもでき、同様に、分散したものと説明されている構成要素も結合された形態で実施されることができる。
【０１００】
本発明の範囲は、前記詳細な説明よりは後述する特許請求の範囲によって示され、特許請求の範囲の意味及び範囲、並びにその均等概念から導出される全ての変更または変形された形態が本発明の範囲に含まれると解釈されなければならない。
【符号の説明】
【０１０１】
１：決済システム
１０：販売者サーバ
２０：決済者の端末
１００：インスタントメッセージサーバ
２００：決済サーバ
３００：金融社サーバ
７１０：通信モジュール
７２０：メモリ
７３０：プロセッサ
【図１】
0006280944.tif 000002
【図２ａ】
0006280944.tif 000003
【図２ｂ】
0006280944.tif 000004
【図３ａ】
0006280944.tif 000005
【図３ｂ】
0006280944.tif 000006
【図４】
0006280944.tif 000007
【図５ａ】
0006280944.tif 000008
【図５ｂ】
0006280944.tif 000009
【図６ａ】
0006280944.tif 000010
【図６ｂ】
0006280944.tif 000011
【図７】
0006280944.tif 000012
【図８】
0006280944.tif 000013